(57)【特許請求の範囲】
【請求項１】
薄肉な透明又は半透明のプラスチックシート材から長方形の平面輪郭形状に真空成形され、その長辺縁取りフランジ（１ａ）（１ｂ）と短辺縁取りフランジ（１ｃ）（１ｄ）を除く内部領域には、一定深さ（Ｄ）だけ陥没する卵収納凹溝（４）の複数を縦横直交する仕切り格子壁（３）によって区画形成し、
その仕切り格子壁（３）の縦横直交部分からは各々点在分布する中間仕切り凸子（９）の複数を、上記卵収納凹溝（４）との逆向きに一定高さ（Ｈ１）だけ隆起させると共に、
隣り合う長辺縁取りフランジ（１ａ）と短辺縁取りフランジ（１ｄ）とが倒立Ｌ字型をなす周辺部分には、上記卵収納凹溝（４）の約半分に相当する大きさの積み重ね用となる周辺補正凹溝（６）の複数を、その卵収納凹溝（４）と同じ陥没深さ（Ｄ）に区画形成する一方、
残余の長辺縁取りフランジ（１ｂ）と短辺縁取りフランジ（１ｃ）とがＬ字型をなす周辺部分には、上記中間仕切り凸子（９）の約半分に相当する大きさの積み重ね用となる周辺仕切り凸子（１３）の複数を、その中間仕切り凸子（９）と同じ隆起高さ（Ｈ１）に点在分布させることにより、
１８０度だけ方向変換した時、上段トレー側の卵収納凹溝（４）と周辺補正凹溝（６）が下段トレー側の中間仕切り凸子（９）と周辺仕切り凸子（１３）に載ることとなる積み重ね使用可能な卵収納トレー（Ｔ）において、
上記長辺縁取りフランジ（１ａ）（１ｂ）と短辺縁取りフランジ（１ｃ）（１ｄ）の平面を、トレー（Ｔ）の全体高さ（Ｈ）を２等分する水平線（Ｘ−Ｘ）よりも一定量（Ｈ２）だけ下方へ偏倚した低い位置に配設すると共に、
上記卵収納凹溝（４）の仕切り格子壁（３）をトレー（Ｔ）の全体が中央部から陥没する撓み変形に対して突っ張り抵抗作用し得る下向き拡開する凸曲面として弯曲させ、しかもその仕切り格子壁（３）の頂面を上記縁取りフランジ（１ａ）（１ｂ）（１ｃ）（１ｄ）の平面と同等高さ位置か、又はその平面よりも一定量（Ｈ３）だけ下方へ偏倚した低い位置に配設することにより、
その仕切り格子壁（３）の頂面から陥没する上記卵収納凹溝（４）と周辺補正凹溝（６）の深さ（Ｄ）を、同じく仕切り格子壁（３）の頂面から隆起する上記中間仕切り凸子（９）と周辺仕切り凸子（１３）の高さ（Ｈ１）よりも、浅くなる小寸法に設定したことを特徴とするプラスチック製卵収納トレー。
【請求項２】
卵収納凹溝（４）を下方へ行く程徐々に細くなるほぼ截頭正８角錐とし、周辺補正凹溝（６）をその卵収納凹溝（４）の約半分に相当する形状として、仕切り格子壁（３）の頂面から一定深さ（Ｄ）だけ陥没させる一方、
中間仕切り凸子（９）を上方へ行く程徐々に細くなるほぼ截頭正４角錐とし、周辺仕切り凸子（１３）をその中間仕切り凸子（９）の約半分に相当する形状として、やはり仕切り格子壁（３）の頂面から一定高さ（Ｈ１）だけ隆起させると共に、
上記卵収納凹溝（４）と周辺補正凹溝（６）を各々形作る壁面から連続して、上記中間仕切り凸子（９）と周辺仕切り凸子（１３）を各々形作る壁面までの上下方向に沿って、ほぼ平行な複数づつの補強リブ（１０）を列設したことを特徴とする請求項１記載のプラスチック製卵収納トレー。
【請求項３】
中間仕切り凸子（９）を上方へ行く程徐々に細くなるほぼ截頭正４角錐とし、周辺仕切り凸子（１３）をその中間仕切り凸子（９）の約半分に相当する形状として、仕切り格子壁（３）の頂面から一定高さ（Ｈ１）だけ隆起させると共に、  上記中間仕切り凸子（９）と周辺仕切り凸子（１３）を各々形作る壁面に、卵（Ｅ）とフィットし得る凹曲面（１２）を設けたことを特徴とする請求項１記載のプラスチック製卵収納トレー。
【請求項４】
一方の短辺縁取りフランジ（１ｄ）におけるほぼ中間部分に限っては、周辺補正凹溝（６）の１個分だけを区画形成せず、仕切格子壁（３）の隣り合う２個分が連通することにより、下向きの広幅に拡開する把持口（７）として歯抜け状態に切り欠き、且つそのフラットな短辺縁取りフランジ（１ｄ）の対応する中間部分に、方向変換時の案内目印となる１個の凹欠（８）を付与すると共に、
他方の短辺縁取りフランジ（１ｃ）におけるほぼ中間部分に限っては、周辺仕切り凸子（１３）の２個分だけを背丈のみが低い特別な周辺仕切り凸子（１３ａ）として、仕切り格子壁（３）の頂面から一定高さ（Ｈ４）に隆起させ、且つそのフラットな短辺縁取りフランジ（１ｃ）の対応する中間部分に、やはり方向変換時の案内目印となる２個の凹欠（１４）を付与したことを特徴とする請求項１記載のプラスチック製卵収納トレー。
【発明の詳細な説明】
【０００１】
【発明の属する技術分野】
本発明はプラスチック製卵収納トレーの改良に関する。
【０００２】
【従来の技術】
多量の卵を段ボール箱に梱包して、ホテルや学校、病院、飲食店などの調理場へ搬送する際に、積み重ね用仕切り（セパレーター）として使われ、又その段ボール箱から取り出した単体として、調理場での持ち運びに供されるプラスチック製卵収納トレーについては、特開２０００−９５２８５号が提案されており、これは長方形の平面輪郭形状を備え、１８０度だけ水平回転させる如く方向変換すれば、積み重ね使用できるようになっている点で、本発明に近似する。
【０００３】
【発明が解決しようとする課題】
ところが、上記公知発明は古紙からのモールドトレーを忠実に模造したポリエチレンテレフタレート樹脂成形品として、図１５に拡大して示すように、卵収納凹部（１）を深く確保するため、その卵収納凹部（１）を格子状に仕切る隔壁（２）の頂面が、トレー（Ａ）の全体高さを２等分する水平線（Ｘ−Ｘ）上に位置するフラットな周縁フランジ（６）から、一定高さ（ｈ２）だけ上方位置へ偏倚されており、しかもその隔壁（２）の頂面は台形凸部（３）と連続する上向きに拡開した凹曲面（２ａ）をなしている。
【０００４】
上記隔壁（２）の頂面を基準線にすると、これから陥没する卵収納凹部（１）の深さ（ｄ）が深く、その基準線から隆起する台形凸部（３）の高さ（ｈ１）は、卵収納凹部（１）の深さ（ｄ）よりも著しく背低い小寸法として相違変化されているのである。
【０００５】
その結果、段ボール箱への出し入れや持ち運び上、合計４０個の卵（Ｂ）が収納されたトレー（Ａ）の周縁フランジ（６）を両手で把持した場合、約２〜３Kgの重量となるトレー（Ａ）の全体が、その重量により中央部から陥没する凹曲状態に撓み変形し、安定良く持ち運びすることができず、隣り合う卵（Ｂ）同志が不慮に接触して、破損する危険性もある。
【０００６】
上記周縁フランジ（６）の平面から一定高さ（ｈ２）だけ上方位置へ偏倚された隔壁（２）では、その頂面が凹曲面（２ａ）をなしていることとも相俟って、隣り合う台形凸部（３）同志の接触する閉口方向へ容易に変形してしまい、卵（Ｂ）の重量に耐える支持強度や、上記撓み変形に対する突っ張り抵抗力を発揮させることができないのであり、このことには卵収納凹部（１）や台形凸部（３）の各個を形作る壁面に、補強リブが全然設置されていないことも原因となる。
【０００７】
又、上記公知発明では長方形の平面輪郭形状をなす４辺のうち、その隣接する長辺と短辺に各卵収納凹部（１）の半ピッチ分の凹凸部（４）（５）が設けられているが、これだけではトレー（Ａ）を１８０度方向変換するための案内目印として、未だ見誤まるおそれがあり、積み重ね作業をすばやく正確に行ない難いほか、段ボール箱への出し入れ作業も行ない難く、利便性に劣る。
【０００８】
【課題を解決するための手段】
本発明はこのような課題の解決を企図しており、そのための構成上薄肉な透明又は半透明のプラスチックシート材から長方形の平面輪郭形状に真空成形され、その長辺縁取りフランジと短辺縁取りフランジを除く内部領域には、一定深さだけ陥没する卵収納凹溝の複数を縦横直交する仕切り格子壁によって区画形成し、
【０００９】
その仕切り格子壁の縦横直交部分からは各々点在分布する中間仕切り凸子の複数を、上記卵収納凹溝との逆向きに一定高さだけ隆起させると共に、
【００１０】
隣り合う長辺縁取りフランジと短辺縁取りフランジとが倒立Ｌ字型をなす周辺部分には、上記卵収納凹溝の約半分に相当する大きさの積み重ね用となる周辺補正凹溝の複数を、その卵収納凹溝と同じ陥没深さに区画形成する一方、
【００１１】
残余の長辺縁取りフランジと短辺縁取りフランジとがＬ字型をなす周辺部分には、上記中間仕切り凸子の約半分に相当する大きさの積み重ね用となる周辺仕切り凸子の複数を、その中間仕切り凸子と同じ隆起高さに点在分布させることにより、
【００１２】
１８０度だけ方向変換した時、上段トレー側の卵収納凹溝と周辺補正凹溝が下段トレー側の中間仕切り凸子と周辺仕切り凸子に載ることとなる積み重ね使用可能な卵収納トレーにおいて、
【００１３】
上記長辺縁取りフランジと短辺縁取りフランジの平面を、トレーの全体高さを２等分する水平線よりも一定量だけ下方へ偏倚した低い位置に配設すると共に、
【００１４】
上記卵収納凹溝の仕切り格子壁をトレーの全体が中央部から陥没する撓み変形に対して突っ張り抵抗作用し得る下向き拡開する凸曲面として弯曲させ、しかもその仕切り格子壁の頂面を上記縁取りフランジの平面と同等高さ位置か、又はその平面よりも一定量だけ下方へ偏倚した低い位置に配設することにより、
【００１５】
その仕切り格子壁の頂面から陥没する上記卵収納凹溝と周辺補正凹溝の深さを、同じく仕切り格子壁の頂面から隆起する上記中間仕切り凸子と周辺仕切り凸子の高さよりも、浅くなる小寸法に設定したことを特徴とするものである。
【００１６】
【発明の実施の形態】
以下、図面に基いて本発明の詳細を説明すると、その本発明の卵収納トレー（Ｔ）はポリエチレンテレフタレートやポリスチロール、その他の薄肉（例えば約０．６mm以下の厚み）な透明又は半透明の熱可塑性プラスチックシート材から、長方形の平面輪郭形状に真空成形されている。
【００１７】
そのトレー（Ｔ）の大きさを例えば約２９４mm×約４４６mmの長方形とし、同じく全体高さ（Ｈ）を例えば約４３mmに設定するならば、市販されている規格サイズの段ボール箱（Ｃ）内へ、トレー（Ｔ）を複数段の積み重ね使用状態として、且つ過不足なく正確に収納できる利便性がある。
【００１８】
又、上記プラスチックシート材としてバージン材は勿論のこと、その再生材や卵に付着する細菌の増殖抑制上有効な抗菌性のシート材を採用することができ、更に無色のほか、茶褐色やピンク色、その他の着色カラーを施すことも可能である。
【００１９】
真空成形金型（図示省略）により、上記プラスチックシート材から賦形立体化されたトレー（Ｔ）の具体的な構成について、これを示した図１〜１１に基き詳述すると、（１ａ）（１ｂ）は長方形な平面輪郭形状をなすトレー（Ｔ）の長辺に沿って延在する前後一対のフラットな長辺縁取りフランジ、（１ｃ）（１ｄ）は同じくトレー（Ｔ）の短辺に沿って延在する左右一対のフラットな短辺縁取りフランジであり、その何れの先端部もほぼＬ字型の補強片（２ａ）（２ｂ）（２ｃ）（２ｄ）として、下向きに曲げ出されている。
【００２０】
その場合、平面視の倒立Ｌ字型をなして隣り合う長辺縁取りフランジ（１ａ）と短辺縁取りフランジ（１ｄ）との帯幅（Ｗ１）は、例えば約６mmとして狭く寸法化されている一方、これと向かい合う平面視のＬ字型をなす残余の隣り合う長辺縁取りフランジ（１ｂ）と短辺縁取りフランジ（１ｃ）との帯幅（Ｗ２）は、例えば約１２mmとして広い寸法に相違変化されている。
【００２１】
（３）は上記トレー（Ｔ）における長辺縁取りフランジ（１ａ）（１ｂ）と短辺縁取りフランジ（１ｃ）（１ｄ）を除く内部領域へ、その縁取りフランジ（１ａ）（１ｂ）（１ｃ）（１ｄ）に沿って縦横直交する格子（方眼）形態に配列設置された仕切り格子壁であり、これらによってその仕切り格子壁（３）の頂面から一定深さ（Ｄ）（例えば約１７mm）だけ下向きに陥没する卵収納凹溝（４）の複数（図例では縦列の５個づつと、横列の８個づつとの合計４０個）が、一定の間隔ピッチ（Ｐ）（例えば約５０mm）を保つ点在分布状態に区画形成されている。
【００２２】
しかも、上記仕切り格子壁（３）は下向きに拡開した凸曲面として弯曲形成されており、その頂面から相対的に陥没する卵収納凹溝（４）の各個を、下方へ行く程徐々に細くなるほぼ截頭正８角錐に形作っている。（５）はその各卵収納凹溝（４）のフラットな底面から、逆な上向きに隆起する補強リブであって、平面視のＸ字型に交叉しており、卵（Ｅ）を接地面から浮上する安全な収納状態に保つ役目も果たす。
【００２３】
その場合、上記帯幅（Ｗ１）の狭い長辺縁取りフランジ（１ａ）と短辺縁取りフランジ（１ｄ）とが平面視の倒立Ｌ字型をなす周辺部分には、卵収納凹溝（４）に代るトレー積み重ね用となる複数（図例では合計１３個）の周辺補正凹溝（６）が、その各卵収納凹溝（４）の約半分に相当する大きさ・形状として、しかも上記卵収納凹溝（４）と同じ陥没深さ（Ｄ）に区画形成されている。但し、その長辺縁取りフランジ（１ａ）と短辺縁取りフランジ（１ｄ）との角隅部分に位置する１個の周辺補正凹溝（６）だけは、各卵収納凹溝（４）の約４分の１に相当する大きさ・形状を備えている。
【００２４】
又、同じく帯幅（Ｗ１）が狭い短辺縁取りフランジ（１ｄ）のほぼ中間部分に限っては、図４、５から明白なように、その周辺補正凹溝（６）の１個分だけ区画形成されておらず、上記仕切り格子壁（３）の隣り合う２個分が連通することにより、下向きの広幅に拡開する大きな把持口（７）として、言わば歯抜け状態に切り欠かれた結果となっている。
【００２５】
しかも、そのフラットな短辺縁取りフランジ（１ｄ）の対応する中間部分には、１個の凹欠（８）が付与されており、これを案内目印として、トレー（Ｔ）を１８０度だけ水平回転する如く方向変換させ、見誤まることなく即座に積み重ねることができるようになっている。
【００２６】
（９）は上記仕切り格子壁（３）の縦横直交する部分から卵収納凹溝（４）との逆な上向きに、背高く隆起された複数（図例では縦列の５個づつと、横列の８個づつとの合計４０個）の中間仕切り凸子であり、その各中間仕切り凸子（９）における上記仕切り格子壁（３）の頂面から隆起する一定高さ（Ｈ１）は例えば約２６mmとして、上記卵収納凹溝（４）の一定深さ（Ｄ）（例えば約１７mm）よりも、背高い大きな寸法に設定されている。
【００２７】
これを逆説的に言えば、上記仕切り格子壁（３）の頂面から陥没する卵収納凹溝（４）の深さ（Ｄ）が、同じく仕切り格子壁（３）の頂面から隆起する中間仕切り凸子（９）の高さ（Ｈ１）に比して、浅くなる小さい寸法に設定されているのである。
【００２８】
尚、中間仕切り凸子（９）は全体的な格子（方眼）形態にある上記仕切り格子壁（３）の縦横直交部分から隆起している関係上、その間隔ピッチ（Ｐ）が上記卵収納凹溝（４）のそれと同じ一定として、点在分布することは言うまでもない。
【００２９】
この点、図例では卵収納凹溝（４）の底面から中間仕切り凸子（９）の頂面までをトレー（Ｔ）の一定な全体高さ（Ｈ）（例えば約４３mm）として、その全体高さ（Ｈ）を２等分する水平線（Ｘ−Ｘ）よりも、一定量（Ｈ２）（例えば約３．５mm）だけ下方へ偏倚した低い位置に、上記長辺縁取りフランジ（１ａ）（１ｂ）と短辺縁取りフランジ（１ｃ）（１ｄ）を配設すると共に、これらのフラットな縁取りフランジ（１ａ）（１ｂ）（１ｃ）（１ｄ）の平面から更に若干の一定量（Ｈ３）（例えば約１mm）だけ下方へ偏倚した低い位置に、上記仕切り格子壁（３）の頂面を配設している。
【００３０】
但し、上記仕切り格子壁（３）における頂面の設置高さは、トレー（Ｔ）の全体高さ（Ｈ）を２等分する水平線（Ｘ−Ｘ）よりも一定量（Ｈ２）だけ下方へ偏倚した低い位置にある上記縁取りフランジ（１ａ）（１ｂ）（１ｃ）（１ｄ）の平面と同等高さ位置に定めてもさしつかえないが、その仕切り格子壁（３）自身としては必らず下向きに拡開する凸曲面として造形するのである。
【００３１】
上記中間仕切り凸子（９）の各個は、ほぼ截頭正８角錐をなす卵収納凹溝（４）の壁面から連続して、上方へ行く程徐々に細くなるほぼ截頭正４角錐の柱状に造形されている。しかも、その正方形をなすフラットな頂面の対角線が、上記仕切り格子壁（３）の中心線上を延在する関係状態にあり、そのため各中間仕切り凸子（９）における仕切り格子壁（３）と直交する壁面は、図９、１０のような上下方向に細長い二等辺三角形として面取りされている。
【００３２】
（１０）は上記卵収納凹溝（４）を形作る壁面から連続して、中間仕切り凸子（９）を形作る壁面までの上下方向に沿って、ほぼ平行に列設された複数づつの補強リブであるが、トレー（Ｔ）の４隅部分に点在分布する合計４個に限っては、その補強リブ（１０）が仕切り格子壁（３）の頂面から隆起する中間仕切り凸子（９）の壁面だけに列設されており、卵収納凹溝（４）の壁面には設けられていない。トレー（Ｔ）の４隅部分に限り、その卵収納凹溝（４）のほぼ截頭正８角錐を形作る壁面が図９、１０のように、上記補強リブ（１０）のない平滑面（１１）として残されているわけである。
【００３３】
このような平滑面（１１）を設けた所以は、卵収納凹溝（４）同志の嵌合する扁平な積み重ね状態に準備されたトレー（Ｔ）の多数を、その１枚づつ正確に卵自動収納ラインのベルトコンベヤ上へ移載すべく、自動機械的な吸着盤（図示省略）によって吸い取り分離する際、その吸着盤の吸着力が低下（真空エヤー洩れ）することを防ぐことにあり、トレー（Ｔ）の上記４隅部分に点在分布する合計４個の卵収納凹溝（４）が、その下方から吸着盤によって一挙同時に吸い取られることとなる。
【００３４】
又、上記仕切り格子壁（３）の頂面から隆起する中間仕切り凸子（９）の壁面には、卵（Ｅ）とフィットし得る凹曲面（１２）が設けられており、その凹曲面（１２）は図１１のように正面から見て上下方向に細長い楕円形の輪郭形状を呈している。
【００３５】
上記帯幅（Ｗ１）の狭い長辺縁取りフランジ（１ａ）並びに短辺縁取りフランジ（１ｄ）と向かい合う関係として、残余の広い帯幅（Ｗ２）を備えた長辺縁取りフランジ（１ｂ）と短辺縁取りフランジ（１ｃ）が平面視のＬ字型をなす周辺部分には、中間仕切り凸子（９）に代ってやはりトレー積み重ね用となる複数（図例では合計１２個）の周辺仕切り凸子（１３）が、その中間仕切り凸子（９）の約半分に相当する大きさ・形状として、上記縁取りフランジ（１ｂ）（１ｃ）と仕切り格子壁（３）との直角に交叉する部分から、中間仕切り凸子（９）と同じ一定高さ（Ｈ１）だけ上向きに隆起されている。但し、その長辺縁取りフランジ（１ｂ）と短辺縁取りフランジ（１ｃ）との角隅部分に位置する１個の周辺仕切り凸子（１３）だけは、各中間仕切り凸子（９）の約４分の１に相当する大きさ・形状を備えている。
【００３６】
そして、このような各周辺仕切り凸子（１３）を形作る壁面にも、各中間仕切り凸子（９）の壁面について上記した構成と同じく、各卵収納凹溝（４）の壁面から連続して上下方向に延在する補強リブ（１０）や、卵（Ｅ）とフィットし得る凹曲面（１２）が設けられている。
【００３７】
更に、上記広い帯幅（Ｗ２）を備えた短辺縁取りフランジ（１ｃ）のほぼ中間部分に限っては、図６、７に示すように、その周辺仕切り凸子（１３）の２個分だけが背丈のみ低い特別な周辺仕切り凸子（１３ａ）として、上記仕切り格子壁（３）の頂面から例えば約１５mmの一定高さ（Ｈ４）に隆起されている。
【００３８】
しかも、そのフラットな短辺縁取りフランジ（１ｃ）の対応する中間部分には、やはりトレー（Ｔ）の方向変換時に案内目印となる２個の凹欠（１４）が付与されている。向かい合う左右一対の短辺縁取りフランジ（１ｃ）（１ｄ）に付与された凹欠（８）（１４）を識別することにより、トレー（Ｔ）をすばやく段ボール箱（Ｃ）の内部へ１８０度だけ水平回転する如く方向変換させて、そのトレー（Ｔ）をすばやく正確に積み重ね作業できるようになっているのである。
【００３９】
尚、上記凹欠（８）（１４）は段ボール箱（Ｃ）へトレー（Ｔ）を出し入れ作業する操作手の指先挿入用として役立つばかりでなく、卵自動収納ラインのベルトコンベヤ上へ移載する際、そのトレー（Ｔ）の方向性を識別する目印にもなる。
【００４０】
本発明の卵収納トレー（Ｔ）では、隣り合う長辺縁取りフランジ（１ａ）と短辺縁取りフランジ（１ｄ）とが平面視の倒立Ｌ字型をなす周辺部分に、卵収納凹溝（４）の約半分に相当する大きさ・形状の積み重ね用となる周辺補正凹溝（６）の複数が、その卵収納凹溝（４）を区分する仕切り格子壁（３）の頂面から、卵収納凹溝（４）と同じ一定深さ（Ｄ）だけ陥没する状態に形成されている一方、残余の長辺縁取りフランジ（１ｂ）と短辺縁取りフランジ（１ｃ）とが平面視のＬ字型をなす周辺部分に、中間仕切り凸子（９）の約半分に相当する大きさ・形状の積み重ね用となる周辺仕切り凸子（１３）の複数が、やはり仕切り格子壁（３）の頂面から中間仕切り凸子（９）と同じ一定高さ（Ｈ１）だけ隆起する状態に点在分布されているため、図１２〜１４のように上記卵収納凹溝（４）へ卵（Ｅ）を収納した状態の下段トレー（Ｔ１）に対して、左右一対の向かい合う短辺縁取りフランジ（１ｃ）（１ｄ）に付与された凹欠（８）（１４）の相違を識別目印としつつ、上段トレー（Ｔ２）を１８０度だけ水平回転する如く方向変換させれば、その隣り合う上下一対のトレー（Ｔ２）（Ｔ１）が上記間隔ピッチ（Ｐ）の約半分づつ縦横方向へ位相変化して、その上段トレー（Ｔ２）側の卵収納凹溝（４）と周辺補正凹溝（６）が下段トレー（Ｔ１）側の中間仕切り凸子（９）と周辺仕切り凸子（１３）へ安定良く載ることになり、その積み重ね状態のトレー（Ｔ１）（Ｔ２）を仕切り（セパレーター）として、多量の卵（Ｅ）を段ボール箱（Ｃ）の内部へ安全に収納できるのである。
【００４１】
又、その卵（Ｅ）が収納された状態にあるトレー（Ｔ）を段ボール箱（Ｃ）から取り出し、その単体として持ち運びすることもでき、その場合図９、１０から明白なように、卵収納凹溝（４）を区分する仕切り格子壁（３）の頂面が、言わば把手となる短辺縁取りフランジ（１ｃ）（１ｄ）と長辺縁取りフランジ（１ａ）（１ｂ）の平面よりも、一定量（Ｈ３）だけ下方へ偏倚した低い位置に設定されているほか、その仕切り格子壁（３）の頂面から陥没する上記卵収納凹溝（４）と周辺補正凹溝（６）の深さ（Ｄ）が、同じく仕切り格子壁（３）の頂面から隆起する中間仕切り凸子（９）と周辺仕切り凸子（１３）の高さ（Ｈ１）よりも、浅くなる小寸法に設定されているため、上記仕切り格子壁（３）自身が下向き拡開する凸曲面として造形されていることとも相俟って、複数（例えば合計４０個）の卵（Ｅ）の重量に耐え得る支持強度や、トレー（Ｔ）の撓み変形に対する効果的な突っ張り抵抗力を発揮することができ、冒頭に述べた従来技術のような撓み変形を生じるおそれがない。
【００４２】
その際、向かい合う短辺縁取りフランジ（１ｃ）（１ｄ）のうち、その一方のほぼ中間部分にはトレー方向変換時の案内目印となる２個の凹欠（１４）を付与しつつも、これと対応位置する卵収納凹溝（４）の２個分が、背低い一定高さ（Ｈ４）の特別な周辺仕切り凸子（１３ａ）によって区画形成されているため、その短辺縁取りフランジ（１ｃ）の中間部分から卵（Ｅ）が不慮に脱落する心配もなく、安定良く持ち運びすることができるのである。
【００４３】
【発明の効果】
以上のように、本発明では薄肉な透明又は半透明のプラスチックシート材から長方形の平面輪郭形状に真空成形され、その長辺縁取りフランジ（１ａ）（１ｂ）と短辺縁取りフランジ（１ｃ）（１ｄ）を除く内部領域には、一定深さ（Ｄ）だけ陥没する卵収納凹溝（４）の複数を縦横直交する仕切り格子壁（３）によって区画形成し、
【００４４】
その仕切り格子壁（３）の縦横直交部分からは各々点在分布する中間仕切り凸子（９）の複数を、上記卵収納凹溝（４）との逆向きに一定高さ（Ｈ１）だけ隆起させると共に、
【００４５】
隣り合う長辺縁取りフランジ（１ａ）と短辺縁取りフランジ（１ｄ）とが倒立Ｌ字型をなす周辺部分には、上記卵収納凹溝（４）の約半分に相当する大きさの積み重ね用となる周辺補正凹溝（６）の複数を、その卵収納凹溝（４）と同じ陥没深さ（Ｄ）に区画形成する一方、
【００４６】
残余の長辺縁取りフランジ（１ｂ）と短辺縁取りフランジ（１ｃ）とがＬ字型をなす周辺部分には、上記中間仕切り凸子（９）の約半分に相当する大きさの積み重ね用となる周辺仕切り凸子（１３）の複数を、その中間仕切り凸子（９）と同じ隆起高さ（Ｈ１）に点在分布させることにより、
【００４７】
１８０度だけ方向変換した時、上段トレー側の卵収納凹溝（４）と周辺補正凹溝（６）が下段トレー側の中間仕切り凸子（９）と周辺仕切り凸子（１３）に載ることとなる積み重ね使用可能な卵収納トレー（Ｔ）において、
【００４８】
上記長辺縁取りフランジ（１ａ）（１ｂ）と短辺縁取りフランジ（１ｃ）（１ｄ）の平面を、トレー（Ｔ）の全体高さ（Ｈ）を２等分する水平線（Ｘ−Ｘ）よりも一定量（Ｈ２）だけ下方へ偏倚した低い位置に配設すると共に、
【００４９】
上記卵収納凹溝（４）の仕切り格子壁（３）をトレー（Ｔ）の全体が中央部から陥没する撓み変形に対して突っ張り抵抗作用し得る下向き拡開する凸曲面として弯曲させ、しかもその仕切り格子壁（３）の頂面を上記縁取りフランジ（１ａ）（１ｂ）（１ｃ）（１ｄ）の平面と同等高さ位置か、又はその平面よりも一定量（Ｈ３）だけ下方へ偏倚した低い位置に配設することにより、
【００５０】
その仕切り格子壁（３）の頂面から陥没する上記卵収納凹溝（４）と周辺補正凹溝（６）の深さ（Ｄ）を、同じく仕切り格子壁（３）の頂面から隆起する上記中間仕切り凸子（９）と周辺仕切り凸子（１３）の高さ（Ｈ１）よりも、浅くなる小寸法に設定してあるため、冒頭に述べた従来技術の課題を完全に改良できる効果がある。
【００５１】
即ち、本発明の上記構成によれば、長辺縁取りフランジ（１ａ）（１ｂ）と短辺縁取りフランジ（１ｃ）（１ｄ）の平面を、トレー（Ｔ）の全体高さ（Ｈ）を２等分する水平線（Ｘ−Ｘ）よりも一定量（Ｈ２）だけ下方へ偏倚した低い位置に配設すると共に、
【００５２】
上記卵収納凹溝（４）の仕切り格子壁（３）をトレー（Ｔ）の全体が中央部から陥没する撓み変形に対して突っ張り抵抗作用し得る下向き拡開する凸曲面として弯曲させ、しかもその仕切り格子壁（３）の頂面を上記縁取りフランジ（１ａ）（１ｂ）（１ｃ）（１ｄ）の平面と同等高さ位置か、又はその平面よりも一定量（Ｈ３）だけ下方へ偏倚した低い位置に配設することにより、その仕切り格子壁（３）の頂面から陥没する卵収納凹溝（４）と周辺補正凹溝（６）の一定深さ（Ｄ）を、同じく仕切り格子壁（３）の頂面から隆起する中間仕切り凸子（９）と周辺仕切り凸子（１３）の一定高さ（Ｈ１）よりも、浅くなる小寸法に設定してあるため、上記向かい合う左右一対の短辺縁取りフランジ（１ｃ）（１ｄ）を把持して、そのトレー（Ｔ）の単体を持ち運びするも、卵収納凹溝（４）に収納された状態の卵（Ｅ）が、その全体的な重量により上記長辺縁取りフランジ（１ａ）（１ｂ）と短辺縁取りフランジ（１ｃ）（１ｄ）の平面から、下方へ深く沈み込む如き変形を起さず、上記卵（Ｅ）の重量に耐え得る安定な支持強度を発揮する。
【００５３】
又、上記卵（Ｅ）の重量を受けて、中間仕切り凸子（９）同志やその中間仕切り凸子（９）と周辺仕切り凸子（１３）とが、互いに接触する閉合方向へ変形する挙動に対しても、上記卵収納凹溝（４）の仕切り格子壁（３）が効果的な突っ張り抵抗力を発揮することとなり、総じてトレー（Ｔ）の全体がその中央部から陥没する凹曲状態に撓み変形するおそれはない。蓋し、仕切り格子壁（３）自身の下向きに拡開する凸曲面が、上記トレー（Ｔ）の中央部から陥没する撓み変形に対して、強力な突っ張り抵抗作用を営なむことになるからであり、このことには請求項２の構成として採用される補強リブ（１０）も、有機的に働くと言える。
【００５４】
請求項３の構成を採用するならば、各卵収納凹溝（４）に収納された卵（Ｅ）の表面を、その中間仕切り凸子（９）の壁面と周辺仕切り凸子（１３）の壁面に各々形成された凹曲面（１２）によって、ますます安定良く抱持することができ、その卵収納凹溝（４）に対する卵（Ｅ）の自動機械的な収納作用も、すばやく円滑に行なえる効果がある。
【００５５】
更に、請求項４の構成を採用するならば、一方の短辺縁取りフランジ（１ｄ）に付与された１個の凹欠（８）と、他方の短辺縁取りフランジ（１ｃ）に付与された２個の凹欠（１４）とを識別して、トレー（Ｔ）を見誤ることなく１８０度に方向変換でき、その段ボール箱（Ｃ）内への積み重ね作業を即座に正しく行なえる利便性があるほか、その凹欠（８）（１４）や把持口（７）を操作手の指先挿入用として、向かい合う左右一対の短辺縁取りフランジ（１ｃ）（１ｄ）を把持しつつ、トレー（Ｔ）の単体を持ち運びする際、背低い一定高さ（Ｈ４）の特別な周辺仕切り凸子（１３ａ）により、卵（Ｅ）の不慮な脱落を防止できる効果もある。
【図面の簡単な説明】
【図１】  本発明に係るプラスチック製卵収納トレーの平面図である。
【図２】  図１の正面図である。
【図３】  図２の背面図である。
【図４】  図２の右側面図である。
【図５】  図４の５−５線に沿う部分拡大断面図である。
【図６】  図２の左側面図である。
【図７】  図６の７−７線に沿う部分拡大断面図である。
【図８】  図１の部分拡大平面図である。
【図９】  図８の９−９線断面図である。
【図１０】  図８の１０−１０線断面図である。
【図１１】  図８の１１−１１線に沿う部分断面図である。
【図１２】  段ボール箱の内部にトレーを収納した状態の概略平面図である。
【図１３】  図１２の１３−１３線に沿う拡大断面図である。
【図１４】  図１２の１４−１４線に沿う拡大断面図である。
【図１５】  従来の卵収納トレーを示す図１０に対応する断面図である。
【符号の説明】
（１ａ）（１ｂ）・長辺縁取りフランジ
（１ｃ）（１ｄ）・短辺縁取りフランジ
（３）・仕切り格子壁
（４）・卵収納凹溝
（５）・補強リブ
（６）・周辺補正凹溝
（７）・把持口
（８）（１４）・凹欠
（９）・中間仕切り凸子
（１０）・補強リブ
（１１）・平滑面
（１２）・凹曲面
（１３）（１３ａ）・周辺仕切り凸子
（Ｃ）・段ボール箱
（Ｅ）・卵
（Ｔ）（Ｔ１）（Ｔ２）・卵収納トレー
（Ｈ）・トレーの全体高さ
（Ｈ１）・中間仕切り凸子と周辺仕切り凸子の一定高さ
（Ｐ）・間隔ピッチ
（Ｄ）・卵収納凹溝と周辺補正凹溝の一定深さ
（Ｗ１）（Ｗ２）・帯幅
（Ｘ−Ｘ）・全体高さの２等分水平線
【図１】
0003723506.tif 000002
【図２】
0003723506.tif 000003
【図３】
0003723506.tif 000004
【図４】
0003723506.tif 000005
【図５】
0003723506.tif 000006
【図６】
0003723506.tif 000007
【図７】
0003723506.tif 000008
【図８】
0003723506.tif 000009
【図９】
0003723506.tif 000010
【図１０】
0003723506.tif 000011
【図１１】
0003723506.tif 000012
【図１２】
0003723506.tif 000013
【図１３】
0003723506.tif 000014
【図１４】
0003723506.tif 000015
【図１５】
0003723506.tif 000016